(57)【要約】      （修正有）【課題】前後２枚の合成樹脂フィルム及び周縁にフランジのついたブリスター部を有し、効率よく製造することができ、しかも未開封確認のタンパープルーフ機能を備えたブリスター包装材を提供する。【解決手段】前後２枚の合成樹脂フィルム１、２及び周縁にフランジのついたブリスター部３を有するブリスター包装材であって、前面フィルム１に窓穴４が開けられ、該窓穴４よりブリスターを内側から突出させ、ブリスター部３がフランジにおいて前面フィルム１に溶着されてなることを特徴とするブリスター包装材。【選択図】図７
2006341874.tif 000002
【特許請求の範囲】
【請求項１】
前後２枚の合成樹脂フィルム及び周縁にフランジのついたブリスター部を有するブリスター包装材であって、前面フィルムに窓穴が開けられ、該窓穴よりブリスターを内側から突出させ、ブリスター部がフランジにおいて前面フィルムに溶着されてなることを特徴とするブリスター包装材。
【請求項２】
ブリスター部と前面フィルムが、フランジにおいて散在する点状に溶着されてなる請求項１記載のブリスター包装材。
【請求項３】
ブリスター部と前面フィルムが、フランジを一周して連続的に溶着されてなる請求項１記載のブリスター包装材。
【請求項４】
前後２枚の合成樹脂フィルムに、芯材が挟持されてなる請求項１記載のブリスター包装材。
【請求項５】
前後２枚の合成樹脂フィルムが形成する長方形の一辺が開口部であり、開口部において前後２枚のフィルムが溶着密閉され、開口部に開口ミシン目が設けられてなる請求項１記載のブリスター包装材。
【請求項６】
開口部に、凸条リブと凹条溝の組み合わせからなるプラスチックチャックが設けられてなる請求項５記載のブリスター包装材。
【請求項７】
前後２枚の合成樹脂フィルムが、側縁を溶着して、１つの開口部を有する袋体形状を形成している請求項１ないし請求項６のいずれか１項に記載のブリスター包装材。
【請求項８】
前面フィルムの窓穴が、熱溶断により開けられてなる請求項１記載のブリスター包装材。
【請求項９】
前面フィルムの窓穴が、機械的切断により開けられてなる請求項１記載のブリスター包装材。
【発明の詳細な説明】
【技術分野】
【０００１】
本発明は、ブリスター包装材に関する。さらに詳しくは、本発明は、前後２枚の合成樹脂フィルム及び周縁にフランジのついたブリスター部を有し、効率よく製造することができ、しかも未開封確認のタンパープルーフ機能を備えたブリスター包装材に関する。
【背景技術】
【０００２】
収納される商品の形状に合わせて、熱可塑性樹脂シートを真空成形法、圧空成形法などにより形成したブリスターに商品を収納し、台紙に取り付けるブリスター包装体は、透明な包装で商品がよく見え、複雑な形状の商品でもそれぞれの形状に合わせた形状、例えば長方形、円形、楕円形、ハート型等のさまざまな形状のブリスターを形成して商品を固定するとともに、包材の有する緩衝効果により商品を保護することができる。
従来より、商品収納用ブリスターを有する熱可塑性樹脂シートを台紙に取り付ける方法として、熱可塑性樹脂シートと同系統の樹脂を塗布した台紙に、ブリスター部のフランジを熱融着する方法や、長方形のブリスター部の三辺の端をコの字形に折り曲げ加工し、その凹部に沿って台紙をスライドさせる方法などが採用されていた。しかし、近年にいたって、ブリスター部として比較的軟質の熱可塑性樹脂が使用されるようになり、これに伴ってブリスター部と台紙の接着に感圧接着剤が用いられるようになってきた。
ブリスター部と台紙を感圧接着剤で接着したブリスター包装体は、従来は、次のような方法で製造されていた。すなわち、商品収納用ブリスターを嵌挿することができる多数個の凹部を有するテーブルに、商品収納用ブリスターとその周縁にフランジを有するブリスター部を載置し、商品収納用ブリスターに商品を投入し、フランジに感圧接着剤層を転写し、ブリスター部上に台紙を載置し、台紙を加圧して感圧接着剤層によりブリスター部のフランジに圧着する。台紙は、各ブリスター部に１枚ずつ載置する場合もあり、すべてのブリスター部に大きな台紙を載置し、圧着後に切断する場合もある。このような製造方法によると、１回に多数個のブリスター包装体を製造することができるとはいえ、バッチ作業であり、人手に頼らざるを得ない作業も多く、ブリスター包装体を効率的に製造することは困難であった。
また、ブリスター部と台紙を感圧接着剤で接着したブリスター包装材は、ブリスター部を台紙から剥がしたのち再び圧着することができるので、一度開封したことの目視による確認が困難であり、食品、医薬品、化粧品などの安全性が厳しく要求される用途への使用が制限されていた。
このために、効率よく製造することができ、未開封を目視により確認することができるタンパープルーフ機能を備えたブリスター包装材が求められていた。
【発明の開示】
【発明が解決しようとする課題】
【０００３】
本発明は、前後２枚の合成樹脂フィルム及び周縁にフランジのついたブリスター部を有し、効率よく製造することができ、しかも未開封確認のタンパープルーフ機能を備えたブリスター包装材を提供することを目的としてなされたものである。
【課題を解決するための手段】
【０００４】
本発明者は、上記の課題を解決すべく鋭意研究を重ねた結果、前後２枚の合成樹脂フィルムからなる台材の前面フィルムに商品の形状に対応して、例えば、長方形、円形、楕円形、ハート型等のさまざまな形状の窓穴を開け、該窓穴より周縁にフランジのついたブリスターを突出させたブリスター包装材は、容易に製造することができ、ブリスター部をフランジにおいて前面フィルムに溶着することにより、タンパープルーフ機能を付与することができ、さらに開口部を溶着密閉することにより、タンパープルーフ機能をいっそう完全なものとなし得ることを見いだし、この知見に基づいて本発明を完成するに至った。
すなわち、本発明は、
（１）前後２枚の合成樹脂フィルム及び周縁にフランジのついたブリスター部を有するブリスター包装材であって、前面フィルムに窓穴が開けられ、該窓穴よりブリスターを内側から突出させ、ブリスター部がフランジにおいて前面フィルムに溶着されてなることを特徴とするブリスター包装材、
（２）ブリスター部と前面フィルムが、フランジにおいて散在する点状に溶着されてなる(１)記載のブリスター包装材、
（３）ブリスター部と前面フィルムが、フランジを一周して連続的に溶着されてなる(１)記載のブリスター包装材、
（４）前後２枚の合成樹脂フィルムに、芯材が挟持されてなる(１)記載のブリスター包装材、
（５）前後２枚の合成樹脂フィルムが形成する長方形の一辺が開口部であり、開口部において前後２枚のフィルムが溶着密閉され、開口部に開口ミシン目が設けられてなる(１)記載のブリスター包装材、
（６）開口部に、凸条リブと凹条溝の組み合わせからなるプラスチックチャックが設けられてなる(５)記載のブリスター包装材、
（７）前後２枚の合成樹脂フィルムが、側縁を溶着して、１つの開口部を有する袋体形状を形成している(１)ないし(６)のいずれか１項に記載のブリスター包装材、
（８）前面フィルムの窓穴が、熱溶断により開けられてなる(１)記載のブリスター包装材、及び、
（９）前面フィルムの窓穴が、機械的切断により開けられてなる(１)記載のブリスター包装材、
を提供するものである。
【発明の効果】
【０００５】
本発明のブリスター包装材は、開封したことを目視により容易に確認することができ、優れたタンパープルーフ機能を有するので、食品、医薬品、化粧品などの安全性が厳しく要求される商品の包装材として好適に用いることができる。本発明のブリスター包装材は、長尺の合成樹脂フィルムに窓穴を開け、該窓穴に周縁にフランジのついたブリスター部を嵌挿し、ブリスター部とフィルムを溶着し、ブリスター部に商品を投入したのち後面フィルムを重ね合わせて、開口部を溶着密閉し、ブリスター包装体ごとに溶断することにより、連続的に効率よく大量生産することができる。
【発明を実施するための最良の形態】
【０００６】
本発明のブリスター包装材は、前後２枚の合成樹脂フィルム及び周縁にフランジのついたブリスター部を有するブリスター包装材であって、前面フィルムに窓穴が開けられ、該窓穴よりブリスターを内側から突出させ、ブリスター部がフランジにおいて前面フィルムに溶着されてなるブリスター包装材である。本発明において、合成樹脂フィルムとは、長さ及び幅に比べて厚さが極めて小さい平らな製品であり、通常は合成樹脂シートと呼ばれる厚さ２５０μｍ以上の製品も含まれる。
本発明に用いる合成樹脂フィルム、合成樹脂シート及び合成紙の材質に特に制限はなく、例えば、ポリオレフィン類、ポリエステル類、ポリアミド類、生分解性ポリマーなどを挙げることができる。ポリオレフィン類としては、例えば、ポリエチレン、ポリプロピレンなどを挙げることができる。ポリエステル類としては、例えば、ポリエチレンテレフタレート、ポリブチレンテレフタレートなどを挙げることができる。ポリアミド類としては、例えば、ナイロン６、ナイロン６６などを挙げることができる。生分解性ポリマーとしては、例えば、ポリ乳酸、ポリブチレンサクシート、ポリブチレンアジペートテレフタレートなどを挙げることができる。本発明においては、合成樹脂フィルムとして、ドライラミネートによる多層フィルムを用いることができる。
そして、本発明の好適な態様としては、前後２枚の合成樹脂フィルムによって、開口部を有する袋体を形成して、これを周縁にフランジのついたブリスター部と組み合わせて、ブリスター包装材とすることができる。
この袋体としては、公知のプラスチックフィルム製袋体形状のものは、全て用いることができる。
【０００７】
本発明において、ブリスター部と前面フィルムの溶着形態に特に制限はなく、例えば、ブリスター部と前面フィルムをフランジにおいて散在する点状に溶着することができ、あるいは、ブリスター部と前面フィルムをフランジを一周して連続的に溶着することもできる。本発明において、ブリスター部のフランジと前面フィルムを溶着する方法に特に制限はなく、例えば、インパルスシーラーなどを用いる外部熱源からの熱伝導による溶着、超音波溶着、高周波溶着などの材料自身の発熱による溶着などを挙げることができる。
図１は、本発明のブリスター包装材の一態様の前面図、該包装材に用いるブリスター部の前面図及びＡ−Ａ線切断部端面図である。本態様のブリスター包装材は、前面フィルム１、後面フィルム２及びブリスター部３よりなる。前面フィルムには、窓穴４が開けられている。ブリスター部は、商品を収納する凹部であるブリスター５と、その周縁のフランジ６からなる。前面フィルムの窓穴よりブリスターを内側から突出させ、ブリスター部をフランジにおいて散在する４個の溶着点７で前面フィルムに溶着し、前後面のフィルムでフランジを挟持することにより、ブリスター部を安定に保持することができる。ブリスター部をフランジにおいて散在する点状に溶着することにより、溶着による変形の発生を少なくして、美観に優れたブリスター包装材を得ることができる。本発明において、ブリスターとフランジよりなるブリスター部は、合成樹脂シートの真空成形、圧空成形などにより得ることができる。
【０００８】
図２は、本発明のブリスター包装材の他の態様の前面図、該包装材に用いるブリスター部の前面図及びＢ−Ｂ線切断部端面図である。本態様のブリスター包装材は、前面フィルム１、後面フィルム２及びブリスター部３よりなる。前面フィルムには、窓穴４が開けられている。窓穴４は、機械的打ち抜きまたは熱刃の溶断によって形成することができる。熱刃の溶断による打ち抜きは、窓孔の周縁からの破損が防止できる点で望ましい。
ブリスター部は、商品を収納する凹部であるブリスター５と、その周縁のフランジ６からなる。前面フィルムの窓穴よりブリスターを内側から突出させ、ブリスター部をフランジを一周する溶着線８で前面フィルムに溶着し、前後面のフィルムでフランジを挟持することにより、ブリスター部を安定に保持することができる。ブリスター部をフランジを一周する溶着線で溶着することにより、ブリスター部をブリスター包装材から取り外したときの痕跡を大きくして、ブリスター包装材のタンパープルーフ機能を高めることができる。図２に示す態様のブリスター包装材においては、溶着線はフランジ幅方向のほぼ中間に線状に設けられているが、フランジ全面を前面フィルムに溶着することもできる。
【０００９】
本発明のブリスター包装材は、ブリスター部のフランジと前面フィルムが溶着されている。したがって、ブリスターが前面フィルムの窓穴から突出し、ブリスター部がフランジにおいて前後２枚のフィルムにより単に挟持されているのみのブリスター包装材、あるいは、ブリスター部がフランジにおいて感圧接着剤により接着されているブリスター包装材とは異なり、いったんブリスター部を前面フィルムから取り外すと復元することは困難であり、ブリスター部と前面フィルムとが溶着された箇所に必ず痕跡が発生する。溶着箇所を剥がした痕跡を目視で観察することにより、ブリスター部がいったん取り外されたことを容易に確認することができ、優れたタンパープルーフ機能を有する。本発明のブリスター包装材は、食品、医薬品、化粧品などの安全性が重視される商品の包装に、特に好適に用いることができる。
【００１０】
本発明のブリスター包装材は、前後２枚の合成樹脂フィルムに芯材を挟持させることができる。図３は、本発明のブリスター包装材の他の態様の前面図、該包装材に用いる芯材の前面図及びＣ−Ｃ線切断部端面図である。本態様のブリスター包装材においては、前面フィルム１と後面フィルム２により形成される長方形の内側に接する寸法の長方形の芯材９が、前後２枚のフィルムにより挟持されている。前面フィルムの窓穴４よりブリスターを内側から突出させ、ブリスター部３をフランジにおいて○で示す散在する４個の溶着点７で前面フィルムに溶着している。前後２枚の合成樹脂フィルムによって芯材を挟持することにより、ブリスター包装材に剛性を付与することができる。芯材の材質に特に制限はなく、例えば、合成樹脂シート、合成紙、板紙などを挙げることができる。合成樹脂フィルムと芯材は、同種のプラスチック材料からなることが好ましい。合成樹脂フィルムと芯材を同種のプラスチック材料で構成することにより、ブリスター包装材を包装材単位ごとに溶断するときに、合成樹脂フィルムと芯材を同時に溶着することができる。
本発明のブリスター包装材において、芯材として不透明な材料を用いる場合は、前面フィルム及び後面フィルムに文字、模様などを隠蔽性のベタ印刷なしで印刷することができる。また、芯材の表裏に文字、模様などを印刷し、前後面フィルムを透明フィルムとし、前後面フィルムを通して芯材に印刷された文字、模様などを読み取ることもできる。
【００１１】
本発明のブリスター包装材においては、ブリスター部をフランジにおいて芯材を介して前面フィルムに溶着することができる。図４は、本発明のブリスター包装材の他の態様の前面図、該包装材に用いる芯材の前面図及びＤ−Ｄ線切断部端面図である。本態様のブリスター包装材に用いる芯材１０には、ブリスターを突出させる窓穴１１が開けられている。ブリスター部３のブリスターは、芯材１０の窓穴１１と前面フィルム１の窓穴４より突出し、ブリスター部はフランジにおいて芯材を介して○で示す散在する４個の溶着点７で前面フィルムに溶着されている。長方形の芯材は、前面フィルムと後面フィルムにより形成される長方形の内側に接し、ブリスター部３は芯材を介して前面フィルムに溶着されているので、ブリスター部の安定性が向上する。
【００１２】
本発明のブリスター包装材は、前後２枚の合成樹脂フィルムに２枚の芯材を挟持させることができる。図５は、本発明のブリスター包装材の他の態様の前面図、該包装材に用いる前側芯材と後側芯材の前面図及びＥ−Ｅ線切断部端面図である。本態様のブリスター包装材においては、前面フィルム１と後面フィルム２により形成される長方形の内側に接する寸法の長方形の前側芯材１２及び後側芯材１３が、前後２枚のフィルムにより挟持されている。本態様のブリスター包装材に用いる前側芯材１２には、ブリスターを突出させる窓穴１１が開けられている。ブリスター部３のブリスターは、前側芯材１２の窓穴１１と前面フィルム１の窓穴４より突出し、ブリスター部はフランジにおいて芯材を介して○で示す散在する４個の溶着点７で前面フィルムに溶着されている。長方形の芯材は、前面フィルムと後面フィルムにより形成される長方形の内側に接し、ブリスター部３は芯材を介して前面フィルムに溶着されているので、ブリスター部の安定性が向上する。また、本態様のブリスター包装材は、２枚の芯材が前後面フィルムにより挟持されているので、高い剛性を有する。
【００１３】
本発明のブリスター包装材は、前後２枚の合成樹脂フィルムが形成する長方形の一辺を開口部とし、該開口部において前後２枚のフィルムを溶着密閉し、さらに開口部に開口ミシン目を設けることができる。
図６は、本発明のブリスター包装材の他の態様の前面図、該包装材に用いる芯材の前面図、ブリスター部の前面図及びＦ−Ｆ線切断部端面図である。本態様のブリスター包装材においては、前面フィルム１と後面フィルム２により形成される長方形の内側に接する寸法の長方形の芯材１４が、前後２枚のフィルムにより挟持されている。そして、その両側縁は、閉鎖され、下方に開口部１５が開放している袋体形状となっている。
この袋体の内部に開口部１５から、商品（図示していない）を内蔵したブリスター部３を挿入し、前面フィルムの窓穴４よりブリスターを内側から突出させることができる。また、別の態様としては、ブリスター部３のみを袋体に装入して窓穴４よりブリスターを内側から突出させたのちに、商品をブリスター部３に収納させることもできる。
商品を収納しているブリスター部３をフランジ６において○で示す散在する４個の溶着点７で前面フィルムに溶着している。本態様のブリスター包装材は、下方の一辺が開口部１５であり、開口部において前後２枚のフィルムが芯材とともに溶着線１６において溶着密閉され、溶着線の上部に開口ミシン目１７が設けられている。収納された商品を取り出すためには、開口ミシン目を破って溶着線の部分を切り離す必要があるので、ブリスター包装材を再封鎖することは不可能であり、本態様のブリスター包装材は完全なタンパープルーフ機能を有する。
【００１４】
本発明のブリスター包装材においては、開口部に凸条リブと凹条溝の組み合わせからなるプラスチックチャックを設けることができる。図７は、本発明のブリスター包装材の他の態様の前面図、後面フィルムの内側図、前面フィルムの内側図及びＧ−Ｇ線切断部端面図である。本図は、ブリスターに商品を収納した状態を示す。本態様のブリスター包装材においては、前面フィルム１と後面フィルム２により芯材１８が挟持されている。前面フィルムの窓穴４より商品１９を収納したブリスターを内側から突出させ、ブリスター部３をフランジにおいて○で示す散在する４個の溶着点７で前面フィルムに溶着している。本態様のブリスター包装材は、下方の一辺が開口部２０であり、開口部に凸条リブからなる雄チャック２１と凹条溝からなる雌チャック２２とを組み合わせたプラスチックチャック２３が設けられている。前後２枚のフィルムは、最下縁において溶着線２４により溶着密閉され、溶着線の上部に開口ミシン目１７が設けられている。収納された商品を取り出すためには、開口ミシン目を破って溶着線の部分を切り離す必要があるので、本態様のブリスター包装材は、完全なタンパープルーフ機能を有する。本態様のブリスター包装材は、プラスチックチャックを有するので、開口ミシン目を破ったのちもプラスチックチャックによる再封鎖が可能であり、収納された商品を少量ずつ取り出して使用したり、使用した商品をブリスター包装材に再度収納したりすることができる。図７に示す態様のブリスター包装材は、上部に吊下孔２５を有するので、店頭において吊り下げて展示することができる。
【００１５】
本発明のブリスター包装体の製造方法に特に制限はなく、図７に示す態様のブリスター包装材は、例えば、(１)両側縁にそれぞれ雄チャックと雌チャックを有する長尺の合成樹脂フィルムを巻き出す工程、(２)該フィルムの中心線の片側に窓穴を開ける工程、(３)該窓穴に周縁にフランジのついたブリスター部を下向きに嵌挿する工程、(４)ブリスター部をフランジにおいてフィルムに溶着する工程、(５)該ブリスターに商品を投入する工程、(６)商品を投入したブリスター部に芯材となる長尺の合成樹脂シート、合成紙などを重ね合わせる工程、(７)長尺の合成樹脂フィルムを半折重合して前面フィルムと後面フィルムを形成し、プラスチックチャックを嵌合する工程、(８)前面フィルムと後面フィルムとを側端部で溶着して溶着線を形成する工程、(９)プラスチックチャックと溶着線の間に開口ミシン目を開ける工程、(１０)商品が収納されたブリスター包装材を、該包装材単位ごとに溶断するとともに、吊下孔を開ける工程を組み合わせて製造することができる。合成樹脂フィルムと芯材は、あらかじめ固定されていなくても、ブリスター包装材を側縁において包装単位ごとに溶断する際に、前後２枚の合成樹脂フィルムと芯材が溶着して固定される。
図８は、本発明のブリスター包装材の他の態様の前面図、後面図及びＨ−Ｈ線切断部端面図である。本態様のブリスター包装材は、自動包装に便利な態様である。これは、袋体形状に形成した前後２枚の合成樹脂フィルムの後フィルムの上部にスリット２６を設けたものであり前面フィルムの下段に窓穴を有するものである。このスリット２６を通して、ブリスター部３のみ若しくは商品を収納したブリスター部を袋体の窓穴に装入することができる。又は、商品のみを自動包装工程で既に設置されているブリスター部３に充填することができる。いずれの場合も、商品を収納後に、ブリスター部の溶着工程で溶着点７を施工する。
【産業上の利用可能性】
【００１６】
本発明のブリスター包装材は、開封したことを目視により容易に確認することができ、優れたタンパープルーフ機能を有するので、食品、医薬品、化粧品などの安全性が厳しく要求される商品の包装材として好適に用いることができる。本発明のブリスター包装材は、長尺の合成樹脂フィルムより連続的に効率よく大量生産することができる。
【図面の簡単な説明】
【００１７】
【図１】本発明のブリスター包装材の一態様の前面図及び切断部端面図である。
【図２】本発明のブリスター包装材の他の態様の前面図及び切断部端面図である。
【図３】本発明のブリスター包装材の他の態様の前面図及び切断部端面図である。
【図４】本発明のブリスター包装材の他の態様の前面図及び切断部端面図である。
【図５】本発明のブリスター包装材の他の態様の前面図及び切断部端面図である。
【図６】本発明のブリスター包装材の他の態様の前面図及び切断部端面図である。
【図７】本発明のブリスター包装材の他の態様の前面図及び切断部端面図である。
【図８】本発明のブリスター包装材の他の態様の前面図、後面図及び切断部端面図である。
【符号の説明】
【００１８】
１  前面フィルム
２  後面フィルム
３  ブリスター部
４  窓穴
５  ブリスター
６  フランジ
７  溶着点
８  溶着線
９  芯材
１０  芯材
１１  窓穴
１２  前側芯材
１３  後側芯材
１４  芯材
１５  開口部
１６  溶着線
１７  開口ミシン目
１８  芯材
１９  商品
２０  開口部
２１  雄チャック
２２  雌チャック
２３  プラスチックチャック
２４  溶着線
２５  吊下孔
２６  スリット
【図１】
2006341874.tif 000003
【図２】
2006341874.tif 000004
【図３】
2006341874.tif 000005
【図４】
2006341874.tif 000006
【図５】
2006341874.tif 000007
【図６】
2006341874.tif 000008
【図７】
2006341874.tif 000009
【図８】
2006341874.tif 000010